(57)【要約】【課題】印刷対象のデータが予め定められた用紙以外の用紙に印刷されようとしている場合に、用紙の搬送を停止させずに白紙として排出する画像形成装置及びプログラムを提供する。【解決手段】画像形成装置は、複数の色成分に対応するトナー像をそれぞれ保持する複数の像保持体と、複数の像保持体から一次転写として順次重ねられたトナー像を保持する中間転写体と、中間転写体上のトナー像を用紙に二次転写する二次転写手段と、予め定められた用紙への印刷対象として印刷データを受け付けた場合に、印刷データを複数の色成分のうち黒色を除く予め定められた色成分ごとの画像データに変換する変換手段と、給紙部から給紙された用紙が予め定められた用紙以外の用紙である場合に、予め定められた色成分に対応する像保持体を、中間転写体に対する相対的移動により中間転写体に接触しない位置とする移動手段とを備える。【選択図】図１
2019155754.tif 000002
【特許請求の範囲】
【請求項１】
複数の色成分に対応するトナー像をそれぞれ保持する複数の像保持体と、
前記複数の像保持体から一次転写として順次重ねられたトナー像を保持する中間転写体と、
前記中間転写体上の前記トナー像を用紙に二次転写する二次転写手段と、
予め定められた用紙への印刷対象として印刷データを受け付けた場合に、前記印刷データを前記複数の色成分のうち黒色を除く予め定められた色成分ごとの画像データに変換する変換手段と、
給紙部から給紙された用紙が前記予め定められた用紙以外の用紙である場合に、前記予め定められた色成分に対応する前記像保持体を、前記中間転写体に対する相対的移動により前記中間転写体に接触しない位置とする移動手段と、
を備えた画像形成装置。
【請求項２】
前記予め定められた色成分に対応する像保持体は、前記中間転写体に接触した位置が常態の位置であり、
前記移動手段は、前記給紙部から給紙された用紙が前記予め定められた用紙以外の用紙である場合に、前記予め定められた色成分に対応する像保持体を前記中間転写体に接触しない位置に相対的に移動させる、
請求項１に記載の画像形成装置。
【請求項３】
前記予め定められた色成分に対応する像保持体は、前記中間転写体に接触しない位置が常態の位置であり、
前記移動手段は、前記給紙部から給紙された用紙が前記予め定められた用紙である場合に、前記予め定められた色成分に対応する像保持体を前記中間転写体に接触する位置に相対的に移動させる、
請求項１に記載の画像形成装置。
【請求項４】
前記印刷データが予め定められた用紙への印刷対象か否かを判定する判定手段を、さらに備えた、
請求項１から３のいずれか１項に記載の画像形成装置。
【請求項５】
ユーザの操作を受け付ける操作部を、さらに備え、
前記判定手段は、前記印刷データに対する印刷指示を前記操作部への操作により受け付けた場合に、前記印刷データが予め定められた用紙への印刷対象であると判定する、
請求項４に記載の画像形成装置。
【請求項６】
前記判定手段は、前記印刷データに対する印刷指示を外部装置から受け付けた場合に、前記印刷指示に含まれる情報に基づいて前記印刷データが予め定められた用紙への印刷対象か否かを判定する、
請求項４に記載の画像形成装置。
【請求項７】
前記印刷指示は、前記印刷データの格納先を示す格納先情報を含み、
前記判定手段は、前記格納先情報が予め記憶された格納先情報に含まれている場合に、前記印刷データが予め定められた用紙への印刷対象であると判定する、
請求項６に記載の画像形成装置。
【請求項８】
前記判定手段は、前記給紙部から用紙が給紙される前に、前記印刷データが予め定められた用紙への印刷対象か否かを判定する、
請求項４から７のいずれか１項に記載の画像形成装置。
【請求項９】
前記給紙部は、前記一次転写前に用紙を給紙する、
請求項１から８のいずれか１項に記載の画像形成装置。
【請求項１０】
前記印刷データは、機密性を有する情報であり、
前記予め定められた用紙は、磁性体が設けられた用紙である、
請求項１から９のいずれか１項に記載の画像形成装置。
【請求項１１】
前記予め定められた用紙は、一方の面が印刷された用紙、又は両方の面が印刷されていない用紙であり、
前記予め定められた用紙以外の用紙は、前記一方の面が印刷された用紙の他方の面が印刷対象面として給紙された用紙、又は前記両方の面が印刷された用紙である、
請求項１から９のいずれか１項に記載の画像形成装置。
【請求項１２】
複数の色成分に対応するトナー像をそれぞれ保持する複数の像保持体と、前記複数の像保持体から一次転写として順次重ねられたトナー像を保持する中間転写体と、前記中間転写体上の前記トナー像を用紙に二次転写する二次転写手段と、を有する画像形成装置のコンピュータを、
予め定められた用紙への印刷対象として印刷データを受け付けた場合に、前記印刷データを前記複数の色成分のうち黒色以外の色成分ごとの画像データに変換する変換手段と、
給紙部から給紙された用紙が前記予め定められた用紙以外の用紙である場合に、前記予め定められた色成分に対応する前記像保持体を、前記中間転写体に対する相対的移動により前記中間転写体に接触しない位置とする移動手段、
として機能させるためのプログラム。
【発明の詳細な説明】
【技術分野】
【０００１】
本発明は、画像形成装置及びプログラムに関する。
【背景技術】
【０００２】
近年、機密性を有する情報が印刷されて社外等の外部に流出することを抑制するようにした画像形成装置が提案されている（例えば、特許文献１参照。）。
【０００３】
特許文献１に記載された画像形成装置は、原稿を読み取る画像読取部と、各色の画像データに基づいて形成されたシアン（Ｃ）、マゼンタ（Ｍ）、イエロー（Ｙ）、黒（Ｋ）の各色のトナー像をそれぞれ保持する各色の像保持体と、各像保持体から一次転写されたトナー像を保持する中間転写ベルトと、磁性体が埋め込まれたセキュリティ用紙又は普通紙を収容する給紙部と、中間転写ベルト上のトナー像を給紙部側から搬送された用紙に二次転写する二次転写部と、給紙部から給紙された用紙がセキュリティ用紙であることを検出する検出装置と、検出装置により用紙がセキュリティ用紙であることを検出できた場合は、画像形成処理許可を出力し、検出装置により用紙がセキュリティ用紙であることを検出できなかった場合は、画像形成処理中止の指示をする信号判定回路部とを備える。
【先行技術文献】
【特許文献】
【０００４】
【特許文献１】特開２０１７−９０６７８号公報
【発明の概要】
【発明が解決しようとする課題】
【０００５】
給紙部から用紙を給紙するタイミングによっては、画像形成処理の中止が間に合わず、機密性を有する情報が普通紙に印刷されて排出される場合がある。また、給紙部から給紙された用紙がセキュリティ用紙でなかった場合に、用紙の搬送を停止させると、紙詰まりの原因になる。
【０００６】
本発明の課題は、印刷対象のデータが予め定められた用紙以外の用紙に印刷されようとしている場合に、用紙の搬送を停止させずに白紙として排出する画像形成装置及びプログラムを提供することにある。
【課題を解決するための手段】
【０００７】
［１］複数の色成分に対応するトナー像をそれぞれ保持する複数の像保持体と、
前記複数の像保持体から一次転写として順次重ねられたトナー像を保持する中間転写体と、
前記中間転写体上の前記トナー像を用紙に二次転写する二次転写手段と、
予め定められた用紙への印刷対象として印刷データを受け付けた場合に、前記印刷データを前記複数の色成分のうち黒色を除く予め定められた色成分ごとの画像データに変換する変換手段と、
給紙部から給紙された用紙が前記予め定められた用紙以外の用紙である場合に、前記予め定められた色成分に対応する前記像保持体を、前記中間転写体に対する相対的移動により前記中間転写体に接触しない位置とする移動手段と、を備えた画像形成装置。
［２］前記予め定められた色成分に対応する像保持体は、前記中間転写体に接触した位置が常態の位置であり、
前記移動手段は、前記給紙部から給紙された用紙が前記予め定められた用紙以外の用紙である場合に、前記予め定められた色成分に対応する像保持体を前記中間転写体に接触しない位置に相対的に移動させる、前記［１］に記載の画像形成装置。
［３］前記予め定められた色成分に対応する像保持体は、前記中間転写体に接触しない位置が常態の位置であり、
前記移動手段は、前記給紙部から給紙された用紙が前記予め定められた用紙である場合に、前記予め定められた色成分に対応する像保持体を前記中間転写体に接触する位置に相対的に移動させる、前記［１］に記載の画像形成装置。
［４］前記印刷データが予め定められた用紙への印刷対象か否かを判定する判定手段を、さらに備えた、前記［１］から［３］のいずれかに記載の画像形成装置。
［５］ユーザの操作を受け付ける操作部を、さらに備え、
前記判定手段は、前記印刷データに対する印刷指示を前記操作部への操作により受け付けた場合に、前記印刷データが予め定められた用紙への印刷対象であると判定する、前記［４］に記載の画像形成装置。
［６］前記判定手段は、前記印刷データに対する印刷指示を外部装置から受け付けた場合に、前記印刷指示に含まれる情報に基づいて前記印刷データが予め定められた用紙への印刷対象か否かを判定する、前記［４］に記載の画像形成装置。
［７］前記印刷指示は、前記印刷データの格納先を示す格納先情報を含み、
前記判定手段は、前記格納先情報が予め記憶された格納先情報に含まれている場合に、前記印刷データが予め定められた用紙への印刷対象であると判定する、前記［６］に記載の画像形成装置。
［８］前記判定手段は、前記給紙部から用紙が給紙される前に、前記印刷データが予め定められた用紙への印刷対象か否かを判定する、前記［４］から［７］のいずれかに記載の画像形成装置。
［９］前記給紙部は、前記一次転写前に用紙を給紙する、前記［１］から［８］のいずれかに記載の画像形成装置。
［１０］前記印刷データは、機密性を有する情報であり、
前記予め定められた用紙は、磁性体が設けられた用紙である、前記［１］から［９］のいずれかに記載の画像形成装置。
［１１］前記予め定められた用紙は、一方の面が印刷された用紙、又は両方の面が印刷されていない用紙であり、
前記予め定められた用紙以外の用紙は、前記一方の面が印刷された用紙の他方の面が印刷対象面として給紙された用紙、又は前記両方の面が印刷された用紙である、前記［１］から［９］のいずれかに記載の画像形成装置。
［１２］複数の色成分に対応するトナー像をそれぞれ保持する複数の像保持体と、前記複数の像保持体から一次転写として順次重ねられたトナー像を保持する中間転写体と、前記中間転写体上の前記トナー像を用紙に二次転写する二次転写手段と、を有する画像形成装置のコンピュータを、
予め定められた用紙への印刷対象として印刷データを受け付けた場合に、前記印刷データを前記複数の色成分のうち黒色以外の色成分ごとの画像データに変換する変換手段と、
給紙部から給紙された用紙が前記予め定められた用紙以外の用紙である場合に、前記予め定められた色成分に対応する前記像保持体を、前記中間転写体に対する相対的移動により前記中間転写体に接触しない位置とする移動手段、として機能させるためのプログラム。
【発明の効果】
【０００８】
請求項１、４、１２に係る発明によれば、印刷対象のデータが予め定められた用紙以外の用紙に印刷されようとしている場合に、用紙の搬送を停止させずに白紙として排出することができる。
請求項２、３に係る発明によれば、普通紙用のデータを白黒印刷する場合には、中間転写体の搬送抵抗が抑制され、搬送速度のアップが可能になる。
請求項５に係る発明によれば、ユーザが機密性を有する紙文書を予め定められた用紙に印刷することができる。
請求項６に係る発明によれば、外部装置から予め定められた用紙への印刷対象を指定することができる。
請求項７に係る発明によれば、機密性を有する情報を格納先情報で管理することができる。
請求項８に係る発明によれば、印刷データが予め定められた用紙への印刷対象か否かを用紙が給紙される前に判定する構成と比較して、予め定められた用紙への印刷の処理時間を短縮することができる。
請求項９に係る発明によれば、一次転写後に用紙を給紙する構成と比較して、予め定められた用紙への印刷の処理時間を短縮することができる。
請求項１０に係る発明によれば、予め定められた用紙を磁気的に検出することができる。
請求項１１に係る発明によれば、印刷対象面が既に印刷されている用紙を給紙した場合、無駄な印刷を回避することができる。
【図面の簡単な説明】
【０００９】
【図１】図１は、本発明の第１の実施の形態に係る画像形成装置の概略の構成例を示す図である。
【図２】図２は、リトラクト機構を説明するための要部概略図である。
【図３】図３は、画像形成装置の制御系の一例を示すブロック図である。
【図４】図４は、第１の実施の形態に係る画像形成装置の動作の一例を説明するための図表である。
【図５】図５は、第１の実施の形態に係る画像形成装置の動作の一例を示すフローチャートである。
【図６】図６は、本発明の第２の実施の形態に係る画像形成装置の動作の一例を示すフローチャートである。
【図７】図７は、リトラクト機構の変形例を説明するための図であり、（ａ）はリトラクト前、（ｂ）はリトラクト後を示す要部概略図である。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
［実施の形態の要約］
本実施の形態の画像形成装置は、複数の色成分に対応するトナー像をそれぞれ保持する複数の像保持体と、複数の像保持体から一次転写として順次重ねられたトナー像を保持する中間転写体と、中間転写体上のトナー像を用紙に二次転写する二次転写手段と、予め定められた用紙への印刷対象として印刷データを受け付けた場合に、印刷データを複数の色成分のうち黒色を除く予め定められた色成分ごとの画像データに変換する変換手段と、給紙部から給紙された用紙が予め定められた用紙以外の用紙である場合に、予め定められた色成分に対応する像保持体を、中間転写体に対する相対的移動により中間転写体に接触しない位置とする移動手段とを備える。
【００１２】
「印刷データ」は、例えば、当該画像形成装置が有するスキャン機能を利用して得られたデータや、外部装置から送信されたデータが含まれる。「画像データ」は、印刷データを印刷処理用に変換したビットマップ形式のデータ、例えば、画素ごとの色をＣＭＹＫ値で表したＣＭＹＫ画像データである。「予め定められた色成分」は、例えば、トナー像が重なることで黒色となる色成分であるが、黒色以外の色となる色成分でもよい。「複数の像保持体」は、例えば、シアン（Ｃ）、マゼンタ（Ｍ）、イエロー（Ｙ）、黒（Ｋ）用でもよく、これらに他の色用を含めてもよい。
【００１３】
「予め定められた用紙」は、代表的な例としては、磁性体が設けられた用紙等の特定の用紙であるが、特定の用紙に限られない。「予め定められた用紙への印刷対象として印刷データ」は、代表的な例としては、機密性を有する情報であるが、これに限られない。機密性を有する情報には、機密文書、図面、写真、画像等が含まれる。機密文書には、写真、画像等が含まれてもよい。
【００１４】
「相対的移動」は、中間転写体に対して像保持体が移動する場合と、像保持体に対して中間転写体が移動する場合の両方を含む意味である。
【００１５】
上記のように構成された画像形成装置において、給紙部から給紙された用紙が予め定められた用紙以外の用紙である場合は、予め定められた色成分に対応する像保持体が中間転写体に接触しない位置となり、予め定められた色成分のトナー像が中間転写体に転写されないため、白紙の用紙が排出される。給紙部から給紙された用紙が予め定められた用紙である場合は、予め定められた色成分に対応する像保持体が中間転写体に接触し、予め定められた色成分のトナー像が中間転写体に転写され、予め定められた色成分のトナー像が重なった色（例えば、黒色）で印刷された用紙が排出される。
【００１６】
［第１の実施の形態］
図１は、本発明の第１の実施の形態に係る画像形成装置の概略の構成例を示す図である。
【００１７】
この画像形成装置１は、例えば、コピー、プリント、スキャン等の複数の機能を有する複合機である。
【００１８】
画像形成装置１は、略箱型状の筐体２と、筐体２内に配置されたコントローラ３と、筐体２内の下部に着脱可能に設けられ、用紙Ｐとしてセキュリティ用紙又は普通紙を収容する給紙トレイ４Ａと、筐体２の側面に着脱可能に設けられた手差しトレイ４Ｂと、筐体２の上部に配置され、印刷された用紙Ｐが排出される第１乃至第３の排紙トレイ５Ａ〜５Ｃ（以下、これらを総称するときは「排紙トレイ５」ともいう。）とを備える。セキュリティ用紙は、予め定められた用紙の一例である。給紙トレイ４Ａ及び手差しトレイ４Ｂは、給紙部の一例である。
【００１９】
また、画像形成装置１は、給紙トレイ４Ａから排紙トレイ５に至るように用紙搬送路６が形成されている。用紙搬送路６は、テイクアウェイパス６０、手差しパス６１、レジストレーションパス６２、排紙パス６３、及び両面印刷パス６４を有する。
【００２０】
テイクアウェイパス６０及び手差しパス６１は、給紙トレイ４Ａから取り込んだ用紙Ｐをレジストレーションパス６２に導く経路である。レジストレーションパス６２は、用紙Ｐに対して画像形成を行う経路である。排紙パス６３は、画像形成された用紙Ｐを排紙トレイ５に導く経路である。両面印刷パス６４は、排紙パス６３で折り返した用紙Ｐを再度レジストレーションパス６２に導く経路である。排紙パス６３は、第１の排紙トレイ５Ａに排出する第１の排紙パス６３ａと、第２の排紙トレイ５Ｂに排出する第２の排紙パス６３ｂと、第３の排紙トレイ５Ｂに排出する第３の排紙パス６３ｃとを有する。
【００２１】
用紙搬送路６には、給紙トレイ４Ａから用紙Ｐをテイクアウェイパス６０に１枚ずつ取り込むピックアップロール１１と、ピックアップロール１１により取り込まれた用紙Ｐを搬送する搬送ロール１２と、ピックアップロール１１により取り込まれた用紙Ｐがセキュリティ用紙であることを検出するセキュリティ用紙検出部１３と、トナー像が一次転写される中間転写ベルト１７３と、中間転写ベルト１７３上のトナー像を用紙Ｐに二次転写する二次転写ロール１４と、トナー像を用紙Ｐに定着させる定着器１５とが配置されている。中間転写ベルト１７３は、中間転写体の一例である。二次転写ロール１４は、二次転写手段の一例である。
【００２２】
画像形成装置１は、用紙搬送路６に沿って用紙Ｐを搬送する用紙搬送機構１７を有する。用紙搬送機構１７は、ピックアップロール１１、搬送ロール１２、及び二次転写ロール１４を回転駆動するモータと、モータを駆動する駆動回路とを有する。用紙搬送機構１７は、用紙Ｐを両面印刷パス６４に通過させて用紙Ｐを反転させる反転部１７ａを有している。
【００２３】
反転部１７ａは、用紙Ｐがレジストレーションパス６２を出るときに用紙Ｐが排紙パス６３に進まずに両面印刷パス６４に進むようにガイドを切り替える。ガイドは、ばね部材のばね力により用紙Ｐが排紙パス６３に進むように案内しており、ソレノイドの動作によって用紙Ｐを両面パス６３に進むように案内する。
【００２４】
画像形成装置１は、筐体２内の給紙トレイ４Ａの上部に、画像を形成する画像形成部１６を配置している。
【００２５】
画像形成部１６は、駆動ロール１７０、バックアップロール１７１、及び従動ロール１７２に張架された中間転写ベルト１７３を備える。中間転写ベルト１７３は、後述する感光体ドラムに接触しながら図中の矢印方向に循環移動する。
【００２６】
また、画像形成部１６は、中間転写ベルト１７３上にシアン（Ｃ）、マゼンタ（Ｍ）、イエロー（Ｙ）、黒（Ｋ）各色のトナー像を形成する像形成部１６０Ｃ、１６０Ｍ、１６０Ｙ、１６０Ｋ（以下、これらを総称するときは「像形成部１６０」ともいう。）を配置している。
【００２７】
各像形成部１６０は、それぞれＣＭＹＫ各色のトナー像が形成される感光体ドラム１６１Ｃ、１６１Ｍ、１６１Ｙ、１６１Ｋ（以下、これらを総称するときは「感光体ドラム１６１」ともいう。）と、感光体ドラム１６１の表面を一様に帯電する帯電器と、帯電した感光体ドラム１６１にＣＭＹＫ各色の画像データに基づいて変調された露光光を照射することによりＣＭＹＫ各色の静電潜像を形成する露光器と、静電潜像をトナーで現像することにより、感光体ドラム１６１の表面にトナー像を形成する現像器１６３Ｃ、１６３Ｍ、１６３Ｙ、１６３Ｋ（以下、これらを総称するときは「現像器１６３」ともいう。）とを備える。ここで、感光体ドラム１６１は、像保持体の一例である。なお、感光体ドラム１６１は、感光体ベルトでもよい。
【００２８】
また、像形成部１６０は、中間転写ベルト１７３を挟んで感光体ドラム１６１Ｃ、１６１Ｍ、１６１Ｙ、１６１Ｋの反対側に、一次転写ロール１６２Ｃ、１６２Ｍ、１６２Ｙ、１６２Ｋ（以下、これらを総称するときは「一次転写ロール１６２」ともいう。）を設けており、感光体ドラム１６１と形成するニップ領域において、感光体ドラム１６１の表面のトナー像を圧接力と静電力により中間転写ベルト１７３に転写する。また、像形成部１６０Ｃ、１６０Ｍ、１６０Ｙ、１６０Ｋの構成部品のうち、一次転写ロール１６２Ｃ、１６２Ｍ、１６２Ｙ、１６２Ｋを除く感光体ドラム１６１及感光体ドラム１６１周辺の構成部品を、以下、感光体ドラムユニット１６４Ｃ、１６４Ｍ、１６４Ｙ、１６４Ｋという。
【００２９】
また、画像形成装置１は、Ｋ以外のＣＭＹの感光体ドラムユニット１６４Ｃ、１６４Ｍ、１６４Ｙを、感光体ドラム１６１Ｃ、１６１Ｍ、１６１Ｙが中間転写ベルト１７３に接触した位置から接触しない位置（リトラクト位置）に移動させるリトラクト機構１８を有する。リトラクト機構１８については、図２を参照して後述する。リトラクト機構１８は、移動手段の一例である。ＣＭＹは、予め定められた色成分の一例である。
【００３０】
（セキュリティ用紙を検出する構成）
セキュリティ用紙には、磁性体が埋め込まれている。磁性体としては、大バルクハウゼン効果を発生させることができる磁性材料、例えば、直径１５〜３５μｍ、長さ１５〜２５ｍｍのアモルファス磁性材料を用いることができる。大バルクハウゼン効果は、振動磁界が作用すると周期的な磁化反転を起こす現象のことである。
【００３１】
セキュリティ用紙検出部１３は、励磁コイルと、アンテナと、検出回路とを備える。励磁コイルは、交流電力の供給を受けて振動磁界を発生する。磁性体が埋め込まれたセキュリティ用紙がセキュリティ用紙検出部１３を通過する際、磁性体に作用する振動磁界の振幅が増大し、振動磁界の振幅が閾値に達すると、磁性体に周期的な磁化反転が起こる。磁性体は、磁化反転に伴う電気的なパルスを発生する。検出回路は、アンテナが受信したパルスの波形と予め記憶されたパルスの波形とを比較して両者の一致の程度に応じてセキュリティ用紙を検出する。セキュリティ用紙検出部１３は、セキュリティ用紙を検出すると、検出信号を用紙判定手段３０５に送信する。
【００３２】
（印刷モード）
画像形成装置１は、例えば、用紙Ｐの片面に画像を形成する「片面印刷モード」、及び用紙Ｐの両面に画像を形成する「両面印刷モード」を有する。
【００３３】
また、画像形成装置１は、「片面印刷モード」及び「両面印刷モード」は、最初に印刷した面を用紙Ｐの裏面にして排出する「裏面排出」、最初に印刷した面を用紙Ｐの表面にして排出する「表面排出」を指定できるようになっている。
【００３４】
片面印刷モードの「裏面排出」の場合、用紙Ｐはテイクアウェイパス６０又は手差しパス６１を搬送され、レジストレーションパス６２で表面が印刷され、第１の排紙トレイ５Ａ又は第２の排紙トレイ５Ｂに排出される。
【００３５】
片面印刷モードの「表面排出」の場合、用紙Ｐは片面印刷モードで「裏面排出」の場合と同様の経路を経て、用紙Ｐの表面が印刷されて第３の排紙トレイ５Ｃに排出される。
【００３６】
両面印刷モードの「裏面排出」の場合、用紙Ｐはテイクアウェイパス６０又は手差しパス６１を搬送され、レジストレーションパス６２で表面が印刷され、その後、用紙Ｐは第２の排紙パス６３ｂで折り返し、両面印刷パス６４を通過することで用紙Ｐが反転し、レジストレーションパス６２で裏面が印刷され、第３の排紙トレイ５Ｃに排出される。
【００３７】
両面印刷モードの「表面排出」の場合、用紙Ｐがセキュリティ用紙のときは、両面印刷モードの［裏面排出」の場合と同様の経路を経て、用紙Ｐの表面が印刷された後に裏面が印刷されて第１の排紙トレイ５Ａ又は第２の排紙トレイ５Ｂに排出される。
【００３８】
上記のように構成された画像形成装置１において、ＣＭＹＫの各色の画像データに基づいて中間転写ベルト１７３上にＣＭＹＫの各色のトナー像が重畳して一次転写されると、そのトナー像は給紙トレイ４Ａから給紙された用紙Ｐに二次転写される。そして用紙Ｐに転写されたトナー像は、定着器１５によって用紙Ｐに定着された後、用紙Ｐが排紙トレイ５に排出される。
【００３９】
（リトラクト機構の構成）
図２は、ＣＭＹの感光体ドラムユニット１６４Ｃ、１６４Ｍ、１６４Ｙをリトラクト位置に移動させた状態を図示している。リトラクト機構１８は、リトラクト機構制御手段３０５の制御により、ＣＭＹの感光体ドラムユニット１６４Ｃ、１６４Ｍ、１６４Ｙを、感光体ドラム１６１Ｃ、１６１Ｍ、１６１Ｙが中間転写ベルト１７３に接触する位置と接触しない位置（リトラクト位置）との間で移動させる。本実施の形態では、ＣＭＹの感光体ドラム１６１Ｃ、１６１Ｍ、１６１Ｙが中間転写ベルト１７３に接触した位置が常態である。
【００４０】
リトラクト機構１８は、例えば、ＣＭＹの感光体ドラムユット１６４Ｃ、１６４Ｍ、１６４Ｙを中間転写ベルト１７３側に押し付けるばね部材と、カムと、カムを回転させるモータと、モータを駆動する駆動回路とを備える。リトラクト機構１８は、常態では、ばね部材のばね力によってＣＭＹの感光体ドラムユット１６４Ｃ、１６４Ｍ、１６４Ｙを中間転写ベルト１７３側に押し付けておき、ＣＭＹのトナー像を中間転写ベルト１７３に転写させない場合には、駆動回路によりモータを駆動してカムを回転させ、ばね部材のばね力に抗してＣＭＹの感光体ドラムユニット１６４Ｃ、１６４Ｍ、１６４Ｙをリトラクト位置に移動させる。
【００４１】
図３は、画像形成装置１の制御系の一例を示すブロック図である。画像形成装置１のコントローラ３には、上述したセキュリティ用紙検出部１３、用紙搬送機構１７、リトラクト機構１８が接続され、さらに操作表示部７、画像読取部８、通信部９が接続されている。通信部９には、ネットワーク１９を介してユーザが操作する端末装置２０及び文書を管理する文書サーバ２１が接続されている。操作表示部７は、操作部の一例である。端末装置２０は、外部装置の一例である。
【００４２】
この画像形成装置１は、印刷ジョブとしてコピージョブ又はプリントジョブを実行する。コピージョブとは、画像読取部８から制御部３０に出力されたデータ（以下「スキャンデータ」ともいう。）を用いて画像形成部１６に印刷処理を実行させるジョブである。プリントジョブとは、通信部９から制御部３０に送信されたデータを用いて画像形成部１６に印刷処理を実行させるジョブである。
【００４３】
操作表示部７は、液晶ディスプレイ等の表示部にタッチパネルが重合配置されたタッチパネルディスプレイを有し、表示画面を表示部に表示するとともに、ユーザからタッチパネルへの操作を受け付ける。なお、操作表示部７は、独立して設けられた入力部及び表示部により構成してもよい。
【００４４】
画像読取部８は、原稿から原稿画像を読み取ってスキャンデータ（例えば、ＲＧＢ画像データ）を生成するものであり、原稿台上に設けられた自動原稿送り装置と、スキャナとを備え、原稿台に配置された原稿、又は自動原稿送り装置により送られた原稿から原稿画像を光学的に読み取る。画像読取部８は、生成したスキャンデータをコントローラ３に送信する。ＲＧＢ画像データは、画素ごとの色をＲＧＢ値で表した画像データである。
【００４５】
端末装置２０は、ユーザがプリンタドライバを起動して印刷対象の文書のファイル名を指定すると、プリンタドライバが指定されたファイル名に基づいて文書サーバ２１から対応する文書データ及び当該文書データの格納先情報を取得する。プリンタドライバは、文書データを印刷対象のＰＤＬ（ページ記述言語）データに変換し、プリントジョブをＰＤＬデータ及び文書データの格納先情報とともにネットワーク１９を介して画像形成装置１に送信する。なお、プリンタドライバに、端末装置２０を操作するユーザを識別するユーザＩＤを設定しておき、ユーザＩＤに対応して文書サーバ２１で機密文書を機密文書専用のフォルダに格納してもよい。
【００４６】
文書サーバ２１は、例えば、機密文書を機密文書専用のフォルダに格納し、機密文書以外の文書をその他のフォルダに格納している。文書サーバ２１は、端末装置２０及び画像形成装置１との間でＨＴＴＰＳ（Hyper Text Transfer Protocol Security）通信によりファイルを送受信する。ＨＴＴＰＳ通信は、例えばＳＳＬ（Secure Sockets Layer）プロトコルを用いて通信内容を秘匿化した暗号化通信を行う。文書サーバ２１は、端末装置２０からアクセスがあると、ファイル名に対応する文書データ及び当該文書データの格納先情報を端末装置２０にＨＴＴＰ通信により送信する。
【００４７】
コントローラ３は、画像形成装置１の各部を制御する制御部３０と、各種の情報を記憶する記憶部３１とを備える。
【００４８】
制御部３０は、ＣＰＵ（Central Processing Unit）、インターフェース等から構成されている。ＣＰＵは、プログラム３１０に従って動作することにより受付手段３００、機密ジョブ判定手段３０１、デコンポーズ処理手段３０２、用紙搬送機構制御手段３０３、用紙判定手段３０４、リトラクト機構制御手段３０５等として機能する。各手段３００〜３０５の詳細は後述する。機密ジョブ判定手段３０１は、判定手段の一例である。デコンポーズ処理手段３０２は、変換手段の一例である。リトラクト機構制御手段３０５は、移動手段の一例である。
【００４９】
記憶部３１は、ＲＯＭ（Read Only Memory）、ＲＡＭ（Random Access Memory）、ハードディスク等から構成され、プログラム３１０、機密文書格納先情報３１１等の各種の情報が記憶されている。機密文書格納先情報３１１は、機密文書の格納先を示す格納先情報、例えば、文書サーバ２１のフォルダパス等である。
【００５０】
次に、制御部３０の各手段３００〜３０５について説明する。
【００５１】
受付手段３００は、操作表示部７に対する操作に基づいてコピージョブを受け付ける。コピージョブでは、画像読取部８からスキャンデータを受け付ける。また、受付手段３００は、端末装置２０のプリンタドライバからプリントジョブとともに、ＰＤＬ（ページ記述言語）データ及び格納先情報を受け付ける。以下、スキャンデータ及びＰＤＬデータを印刷データともいう。
【００５２】
機密ジョブ判定手段３０１は、受付手段３００が受け付けた印刷ジョブが機密に係るジョブ（以下、「機密ジョブ」ともいう。）か否かを判定する。機密ジョブ判定手段３０１は、受付手段３００が受け付けた印刷ジョブがコピージョブである場合は、当該コピージョブを機密ジョブであると判定する。また、機密ジョブ判定手段３０１は、受付手段３００が受け付けた印刷ジョブがプリントジョブである場合は、プリンタドライバが指定した文書データの格納先情報に応じて判定する。すなわち、格納先情報が機密文書格納先情報３１１に登録されている場合は、当該印刷ジョブを機密ジョブであると判定し、登録されていない場合は、通常の印刷ジョブであると判定する。機密ジョブ判定手段３０１は、例えば、給紙トレイ５から用紙Ｐが給紙される前に上記判定を行う。
【００５３】
デコンポーズ処理手段３０２は、機密ジョブ判定手段３０１により機密ジョブであると判定された場合は、Ｋを使用しないデコンポーズ処理を行う。デコンポーズ処理とは、ＰＤＬデータ又はスキャンデータをＣＭＹＫごとのビットマップ形式の画像データに変換する処理をいう。なお、本実施の形態では、Ｋを使用しないデコンポーズ処理であるので、カラー画像用又は白黒画像用のＰＤＬデータ又はスキャンデータをＣＭＹの画像データに変換し、Ｋの画像データは生成しない。
【００５４】
また、デコンポーズ処理手段３０２は、機密ジョブ判定手段３０１により機密ジョブでないと判定された場合は、通常のデコンポーズ処理を行う。すなわち、カラー画像用のＰＤＬデータ又はスキャンデータをＣＭＹＫの画像データに変換し、白黒画像用のＰＤＬデータ又はスキャンデータをＫの画像データに変換する。
【００５５】
用紙搬送機構制御手段３０３は、ユーザにより指定された印刷モードに応じて用紙搬送機構１７を制御する。また、用紙搬送機構制御手段３０３は、一次転写前に給紙トレイ５Ａから用紙Ｐを給紙するよう用紙搬送機構１７を制御する。
【００５６】
用紙判定手段３０４は、給紙トレイ４Ａから用紙Ｐを給紙し、用紙Ｐがセキュリティ用紙検出部１３を通過するタイミングでセキュリティ用紙検出部１３から検出信号が送信された場合は、給紙された用紙Ｐはセキュリティ用紙であると判定し、用紙Ｐがセキュリティ用紙検出部１３を通過するタイミングを含む予め定められた時間内に検出信号が送信されなかった場合は、給紙された用紙Ｐは普通紙であると判定する。
【００５７】
リトラクト機構制御手段３０５は、機密ジョブ判定手段３０１により印刷ジョブが機密ジョブであると判定され、かつ、用紙判定手段３０４により用紙Ｐが普通紙であると判定された場合は、リトラクト機構１８を制御して、ＣＭＹの感光体ドラム１６１Ｃ、１６１Ｍ、１６１Ｙを、中間転写ベルト１７３に対する相対的移動により中間転写ベルト１７３に接触しない位置とする。本実施の形態のリトラクト機構１８は、ＣＭＹの感光体ドラム１６１Ｃ、１６１Ｍ、１６１Ｙが中間転写ベルト１７３に接触した位置を常態としている。したがって、リトラクト機構制御手段３０５は、印刷ジョブが機密ジョブであり、かつ、用紙Ｐが普通紙である場合は、リトラクト機構１８を制御して、ＣＭＹの感光体ドラムユニット１６４Ｃ、１６４Ｍ、１６４Ｙを、ＣＭＹの感光体ドラム１６１Ｃ、１６１Ｍ、１６１Ｙが中間転写ベルト１７３に接触しない位置に移動させる。
【００５８】
（第１の実施の形態の動作）
次に、画像形成装置１の動作の一例を図４及び図５を参照して説明する。図４は、画像形成装置１の動作の一例を説明するための図表である。図５は、画像形成装置１の動作の一例を示すフローチャートである。
【００５９】
受付手段３００が印刷ジョブを受け付けると（Ｓ１）、機密ジョブ判定手段３０１は、受付手段３００が受け付けた印刷ジョブが機密ジョブか否かを判定する（Ｓ２）。印刷ジョブが原稿をスキャンして複写させるコピージョブの場合は、機密ジョブであると判定する。端末装置２０から通信部９を介してプリントジョブとともに、ＰＤＬデータ及び文書データの格納先情報が送信された場合は、記憶部３１が記憶する機密文書格納先情報３１１に文書データの格納先情報が登録されている場合は、機密ジョブであると判定する。
【００６０】
機密ジョブであると判定された場合は（Ｓ２：Ｙｅｓ）、デコンポーズ処理手段３０２は、Ｋを使用しないデコンポーズ処理を行う（Ｓ３）。
【００６１】
用紙搬送機構制御手段３０３は、用紙搬送機構１７を制御して給紙を行う。給紙トレイ４Ａから用紙Ｐが取り出されて用紙Ｐを用紙搬送路６に給紙する（Ｓ４）。
【００６２】
用紙判定手段３０４は、セキュリティ用紙検出部１３からの検出信号の有無により用紙Ｐがセキュリティ用紙であるか否かを判定する（Ｓ５）。
【００６３】
制御部３０は、セキュリティ用紙であると判定されると（Ｓ５：Ｙｅｓ）、ＣＭＹによる印刷処理を行うよう画像形成部１６を制御する（Ｓ６）。
【００６４】
ＣＭＹからなるカラー画像又は白黒画像で印刷されたセキュリティ用紙が排紙トレイ５に排出される（Ｓ７）。
【００６５】
上記ステップＳ５において、普通紙であると判定された場合は（Ｓ５：Ｎｏ）、リトラクト機構制御手段３０５は、リトラクト機構１８を制御してＣＭＹの感光体ドラムユニット１６４Ｃ、１６４Ｍ、１６４Ｙを中間転写ベルト１７３に接触しない位置に移動させる（Ｓ８）。
【００６６】
Ｋの感光体ドラム１６１Ｋは中間転写ベルト１７３に接触しているが、Ｋの感光体ドラム１６１Ｋにはトナー像が形成されていないため、中間転写ベルト１７３から用紙Ｐに二次転写されたとしても白紙のままで普通紙が排紙トレイ５に排出される（Ｓ１０）。
【００６７】
上記ステップＳ２において、機密ジョブでないと判定された場合は（Ｓ２：Ｎｏ）、デコンポーズ処理手段３０２は、通常のデコンポーズ処理を行う（Ｓ１１）。
【００６８】
用紙搬送機構制御手段３０３は、用紙搬送機構１７を制御して給紙を行う。給紙トレイ４Ａから用紙Ｐが取り出されて用紙Ｐを用紙搬送路６に給紙する（Ｓ１２）。
【００６９】
制御部３０は、ＣＭＹＫによる印刷処理を行うよう画像形成部１６を制御する（Ｓ１３）。
【００７０】
ＣＭＹＫからなるカラー画像又は白黒画像で印刷された普通紙が排紙トレイ５に排出される（Ｓ１４）。
【００７１】
［第２の実施の形態］
図６は、本発明の第２の実施の形態に係る画像形成装置の動作の一例を示すフローチャートである。第１の実施の形態では、ＣＭＹの感光体ドラム１６１Ｃ、１６１Ｍ、１６１Ｙが中間転写ベルト１７３に接触した位置を常態としたが、本実施の形態は、ＣＭＹの感光体ドラム１６１Ｃ、１６１Ｍ、１６１Ｙが中間転写ベルト１７３に接触しない位置（リトラクト位置）を常態としたものであり、他は第１の実施の形態と同様に構成されている。以下、第１の実施の形態と異なる点を中心に説明する。
【００７２】
本実施の形態のリトラクト機構１８は、ＣＭＹのトナー像を中間転写ベルト１７３に転写させる場合は、リトラクト機構制御手段３０５の制御により、ＣＭＹの感光体ドラム１６１Ｃ、１６１Ｍ、１６１Ｙを中間転写ベルト１７３に接触させる。
【００７３】
まず、初期状態として、リトラクト機構制御手段３０５は、リトラクト機構１８を制御してＣＭＹの感光体ドラム１６１Ｃ、１６１Ｍ、１６１Ｙを中間転写ベルト１７３から離間するように移動させる（Ｓ２１）。
【００７４】
受付手段３００は、第１の実施の形態と同様に、印刷ジョブを受け付けると（Ｓ２２）、機密ジョブ判定手段３０１は、第１の実施の形態と同様に、受付手段３００が受け付けた印刷ジョブが機密ジョブか否かを判定する（Ｓ２３）。
【００７５】
機密ジョブであると判定された場合は（Ｓ２３：Ｙｅｓ）、デコンポーズ処理手段３０２は、Ｋを使用しないデコンポーズ処理を行う（Ｓ２４）。
【００７６】
用紙搬送機構制御手段３０３は、用紙搬送機構１７を制御して給紙を行う。給紙トレイ４Ａから用紙Ｐが取り出されて用紙Ｐを用紙搬送路６に給紙する（Ｓ２５）。
【００７７】
用紙判定手段３０４は、セキュリティ用紙検出部１３からの検出信号の有無により用紙Ｐがセキュリティ用紙であるか否かを判定する（Ｓ２６）。
【００７８】
制御部３０は、セキュリティ用紙が検出されると（Ｓ２６：Ｙｅｓ）、リトラクト機構制御手段３０５がリトラクト機構１８を制御してＣＭＹの感光体ドラム１６１Ｃ、１６１Ｍ、１６１Ｙを中間転写ベルト１７３に接触させる（Ｓ２７）。
【００７９】
制御部３０は、ＣＭＹによる印刷処理を行うよう画像形成部１６を制御する（Ｓ２８）。
【００８０】
ＣＭＹからなるカラー画像又は白黒画像で印刷されたセキュリティ用紙が排紙トレイ５に排出される（Ｓ２９）。
【００８１】
上記ステップＳ２６において、普通紙であると判定された場合は（Ｓ２６：Ｎｏ）、リトラクト機構制御手段３０５は、ＣＭＹの感光体ドラム１６１Ｃ、１６１Ｍ、１６１Ｙが中間転写ベルト１７３に接触しない位置を保持する。
【００８２】
Ｋの感光体ドラム１６１Ｋは中間転写ベルト１７３に接触しているが、Ｋの感光体ドラム１６１Ｋにはトナー像が形成されていないため、中間転写ベルト１７３から用紙Ｐに二次転写されたとしても白紙のままで普通紙が排紙トレイ５に排出される（Ｓ３１）。
【００８３】
上記ステップＳ２３において、機密ジョブでないと判定された場合は（Ｓ２３：Ｎｏ）、デコンポーズ処理手段３０２は、通常のデコンポーズ処理を行う（Ｓ３２）。
【００８４】
用紙搬送機構制御手段３０３は、用紙搬送機構１７を制御して給紙を行う。給紙トレイ４Ａから用紙Ｐが取り出されて用紙Ｐを用紙搬送路６に給紙する（Ｓ３３）。
【００８５】
制御部３０は、ＣＭＹＫによる印刷処理を行うよう画像形成部１６を制御する（Ｓ３４）。
【００８６】
ＣＭＹＫからなるカラー画像又は白黒画像で印刷された普通紙が排紙トレイ５に排出される（Ｓ３５）。
【００８７】
［第３の実施の形態］
本発明の第３の実施の形態は、第１又は第２の実施の形態に係る画像形成装置１を、出入口にセキュリティ用紙を検出するゲートが設けられた特定のエリア（部屋を含む。）に設置したものである。
【００８８】
ゲートは、セキュリティ用紙検出部１３と同様の機能を有するセキュリティ用紙検出部と、セキュリティ用紙検出部がセキュリティ用紙を検出した場合に検出結果を外部装置と通信する通信部とを備える。
【００８９】
機密文書がセキュリティ用紙に印刷され、それが特定のエリアからゲートを介して外に持ち出されるのを検出することができる。このとき、ゲートから警告を管理者の端末装置に通知してもよい。なお、画像形成装置１の設置場所は、当該エリアに限られない。
【００９０】
（変形例１）
図７は、変形例１としてリトラクト機構の他の構成を説明するための図であり、（ａ）はリトラクト前、（ｂ）はリトラクト後を示す要部概略図である。
【００９１】
上記各実施の形態では、リトラクト機構１８はＣＭＹの感光体ドラムユニット１６４Ｃ、１６４Ｍ、１６４Ｙを移動させてＣＭＹの感光体ドラム１６１Ｃ、１６１Ｍ、１６１Ｙを中間転写ベルト１７３に接触させたが、変形例１は、一次転写ロール１６２を移動させて中間転写ベルト１７３をＣＭＹの感光体ドラム１６１Ｃ、１６１Ｍ、１６１Ｙに接触させたものである。この場合もＫの感光体ドラム１６１Ｋは常時中間転写ベルト１７３に接触させておく。この変形例１によれば、可動部分の一次転写ロール１６２が感光体ドラムユット１６４Ｃ、１６４Ｍ、１６４Ｙよりも小型かつ軽量であることから、リトラクト機構の小型化、軽量化が図れる。
【００９２】
（変形例２）
上記各実施の形態では、給紙トレイ４Ａからセキュリティ用紙を給紙し、給紙トレイ４Ａの用紙取り出し側にセキュリティ用紙検出部１３を設けたが、手差しトレイ４Ｂの用紙取り出し側にセキュリティ用紙検出部１３を設けて手差しトレイ４Ｂからセキュリティ用紙を給紙してもよい。
【００９３】
（変形例３）
上記各実施の形態では、予め定められた用紙としてセキュリティ用紙について説明したが、予め定められた用紙を、一方の面が印刷された普通紙（裏紙）、又は両方の面が印刷されていない普通紙としてもよい。この場合は、裏紙の印刷されている一方の面が印刷対象面として給紙された場合、又は両方の面が印刷された用紙が給紙された場合は、予め定められた用紙以外の用紙に該当するので、印刷せずに白紙のまま排出することができ、無駄な印刷を回避することができる。
【００９４】
（変形例４）
図５の示すフローチャートのステップＳ５、及び図６の示すフローチャートのステップＳ２６において、セキュリティ用紙ではないと判定された場合に、判定された際、又は白紙の普通紙を排出した際に、セキュリティ用紙でない旨の警告を操作表示部７に表示してもよい。なお、警告は音のみでもよく、警告の表示とともに音を発生させてもよい。
【００９５】
（変形例５）
図５の示すフローチャートのステップＳ１３、及び図６の示すフローチャートのステップＳ３４では、ＣＭＹの感光体ドラム１６１Ｃ、１６１Ｍ、１６１Ｙを中間転写ベルト１７３に接触しない位置（リトラクト位置）に移動させてはいないが、印刷データが白黒画像用のデータである場合は、リトラクト位置に移動させてもよい。この場合は、中間転写ベルト１７３の搬送抵抗が抑制され、搬送速度のアップが可能になる。
【００９６】
以上、本発明の実施の形態を説明したが、本発明の実施の形態は上記実施の形態に限定されるものではなく、本発明の要旨を変更しない範囲内で種々の変形、実施が可能である。
【００９７】
制御部３０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００９８】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００９９】
１…画像形成装置、２…筐体、３…コントローラ、４Ａ…給紙トレイ、４Ｂ…手差しトレイ、５、５Ａ-５Ｃ…排紙トレイ、６…用紙搬送路、７…操作表示部、８…画像読取部、９…通信部、１１…ピックアップロール、１２…搬送ロール、１３…セキュリティ用紙検出部、１４…二次転写ロール、１５…定着器、１６…画像形成部、１７…用紙搬送機構、１７ａ…反転部、１８…リトラクト機構、１９…ネットワーク、２０…端末装置、２１…文書サーバ、３０…制御部、３１…記憶部、６０…テイクアウェイパス、６１…手差しパス、６２…レジストレーションパス、６３、６３ａ-６３ｃ…排紙パス、６４…両面印刷パス、１６０、１６０Ｃ、１６０Ｍ、１６０Ｙ、１６０Ｋ…像形成部、１６１、１６１Ｃ、１６１Ｍ、１６１Ｙ、１６１Ｋ…感光体ドラム、１６２、１６２Ｃ、１６２Ｍ、１６２Ｙ、１６２Ｋ…一次転写ロール、１６３、１６３Ｃ、１６３Ｍ、１６３Ｙ、１６３Ｋ…現像器、１６４Ｃ、１６４Ｍ、１６４Ｙ、１６４Ｋ…感光体ドラムユニット、１７０…駆動ロール、１７１…バックアップロール、１７２…従動ロール、１７３…中間転写ベルト、３００…受付手段、３０１…機密ジョブ判定手段、３０２…デコンポーズ処理手段、３０３…用紙搬送機構制御手段、３０４…用紙判定手段、３０５…リトラクト機構制御手段、３１０…プログラム、３１１…機密文書格納先情報、Ｐ…用紙
【図１】
2019155754.tif 000003
【図２】
2019155754.tif 000004
【図３】
2019155754.tif 000005
【図４】
2019155754.tif 000006
【図５】
2019155754.tif 000007
【図６】
2019155754.tif 000008
【図７】
2019155754.tif 000009